(57)【要約】【課題】  従来、方形体とする建具枠の対角入り隅部に対して、伸縮する棒体の組立調整治具があった。これらの治具は、製作コスト高で、保管、携帯に不便であった。それに、コーナー入り隅部に対しての測定冶具であって、出隅部には利用できない問題があった。【解決手段】  対角測定用治具は樹脂製とし、フラット状のフック掛け平板の二方向端部辺Ｌ状に両屈曲部と両つがい接触板を形成して、前記フック掛け平板の表面上に巻尺のテープフックを挿入するためのフック掛け孔を設けて対角測定治具を構成する。【選択図】図１
2012068223.tif 000002
【特許請求の範囲】
【請求項１】
フラット状のフック掛け平板にフック掛け孔を設け、前記フック掛け平板の端部辺に屈曲部とつがい接触板を形成して対角測定治具を構成し、前記つがい接触板を測定物体のコーナー隅部に接触して当て、前記対角測定治具を固定して前記フック掛け孔に巻尺のテープフックを引っ掛けて対角測定をおこなうことを特徴とした巻尺用対角測定治具。
【請求項２】
フック掛け平板に形成された屈曲部から自在につがい接触板を屈曲手段をおこなうことを特徴とした請求項１記載の巻尺用対角測定治具。
【発明の詳細な説明】
【技術分野】
【０００１】  本発明は、方形状枠体の対角寸法を調べるための対角測定治具に関する。
【背景技術】
【０００２】  従来、方形状枠体の対角寸法測定用として、伸縮可能な棒状の建具枠組立調整治具があった。（例えば、特許文献１参照）
また、巻尺と一体となった巻尺式対角寸法測定器がある。
（例えば、特許文献２参照）
それに、長い棒状のゲージの先端部に磁石を有するＬ状のマグネット部を固着した対角長測定具があった。
（例えば特許文献３参照）
【先行技術文献】
【特許文献】
【０００３】
【特許文献１】  特開平０９−１３８１９号公報
【特許文献２】  実開昭５７−１８８１０１号公報
【特許文献３】  実開昭５７−１８５９０１号公報
【発明の概要】
【発明が解決しようとする課題】
【０００４】  上記の特許文献１に記載されている図１に基づくと、方形体とする建具枠の対角入り隅部に対して、伸縮可能な本体１１の上下両端に当接治具１２を設けて接触させ、枠の対角を測定する組立調整治具１０であった。
このように構成された組立調整治具１０は、構造的に製作コスト高になる点や、長さの有する棒状体のため収納、携帯等に不便であった。
それに、方形枠体の内側入り隅部の内々のみに当接治具１２を接触させて枠の対角測定をおこなうものであって、枠体の外側出隅部分に接しての対角測定ができなかった。【０００５】また、特許文献２に記載されている図１によると、巻尺２の後方側に補助計測板３を設け、前方側に挟み込むためのつまみ金具７とその先端部の硬質板５を設けて測定対象物に挟んで固定し、対角測定をおこなう方法のものでこれらのものは、挟み込むためのツバ等がなければ使用できない点や、出隅部分に対する測定の方法、及び巻尺の用途が対角測定専用に限定されると言う利用範囲に問題があった。【０００６】  特許文献３による第２図においては、長さが必要とする棒状のゲージ２Ａのものであって、その先端部に磁石を有するＬ状のマグネット部２Ｂを固着し、ゲージ２Ａに目盛り２Ａ−１を記して対角長Ｌ１、Ｌ２の対角差を測定するものであった。
これらにおいても、長さがある棒状のゲージ２Ａのため制作費のコスト高や収納、保管、携帯等に非常に不便であった。
本発明は、このような従来の構成が有していた問題を解決しようとするものであり、本発明は、従来から利用されている巻尺と本発明の専用の対角測定治具と組み合わせて用い、あらゆる方形体対象物の対角測定を可能にし、コーナー部分の入り隅及び出隅部分においても対応可能にすることを目的としている。
【課題を解決するための手段】
【０００７】  測定対象物とする方形枠体の対角コーナー入り隅部及び出隅部の部分に樹脂製の対角測定治具を装着して対角測定をおこなう手段とし、下記のような対角測定治具を製作する。【０００８】  治具として、樹脂製のフラット板としたフック掛け平板に巻尺テープのフックを引っ掛けるためのフック掛け孔を設け、そのフック掛け孔の部分に巻尺のテープに設けてあるフック穴と係合させるための突起片を設ける。【０００９】  前記フック掛け平板の二方向端部辺Ｌ状に、自由自在に屈曲可能としたＶ状の曲げ溝とする屈曲部を設け、それらの屈曲部に面して、両つがい接触板をフラット状に形成する。それに、両つがい接触板には、ピン等を用いて差し込んで一時的に固定させるためのピン刺し孔を設けている。【００１０】  前記フック掛け平板とつがい接触板との間に設けた屈曲部は、樹脂製の蝶番のつがい構造を応用したものであって、自由自在に幾多の屈曲可能としている。【００１１】そして、二方向の両つがい接触板とする一方のつがい接触板には、差し込み凸起片を設けて他一方のつがい接触板には、凸起片を挿入させるための受け孔を形成する。
それらを組み合わせる場合、両屈曲部から両つがい接触板を垂直状に折り曲げると同時に、差し込み凸起片を受け孔に挿入して二方向辺をＬ状に組み合わせて対角測定治具を構成する。【００１２】  このように組み立てられた対角測定治具を、四方形の枠体の直角入り隅部または、出隅部コーナーにＬ状に組み立てられたつがい接触板の部分を接触させてクリップやクランプまたは、ピンや一時的に貼り付けて剥がせる両面テープ等を用いて固定する。【００１３】  固定された対角測定治具によって、対角測定をおこなう場合、フック掛け孔に巻尺のテープフックを挿入し、フック穴に突起片を係合させて引っ掛け、外れないようにして両対角面を測定し、数値の差を調べる手段とする。【００１４】  本発明の対角測定治具の製作材料としては、コストが安価でしかも形状が容易にできる樹脂成型加工が適しており、高級化、耐久性を要求するのであればアルミ製等の鋼製材でも可能である。【００１５】使用後は、組み立てられた対角測定治具を、受け孔から差し込み凸起片を外して全体をフラット状に戻し、巻尺のベルトクリップに挟み込んで巻尺と合体化として保管、携帯等において便利にする。【００１６】  本発明の対角測定治具は、上述通り屈曲部によって、つがい接触板を折り曲げ組立式構造のものであるが、必ずしもそうとは限らず例えば、組立式とせず、最初から屈曲部より、つがい接触板を立ち上げた状態で成形してもよく、何れも対角測定上において用いれば、同様な測定を得られるものであり、後述の方法であると、嵩張って保管、携帯に不向きな面があるものの何れか選択して用いれば用を成すものである。【００１７】  本発明の対角測定治具は、方形体の測定対象物のコーナー部分とする入り隅部及び出隅部に拘らず何れにも用いることができるものであり、蝶番構造を応用した方法で巻尺によって容易に対角測定をおこなうことを目的としている。
【発明の効果】
【００１８】  上述したように本発明の巻尺用対角測定治具は、樹脂製で成形することによって製作が容易でコストも安くあがりフラット状としてコンパクトにできる。
フラット状でコンパクトのため、巻尺のベルトクリップに挟んで一体化として装着しておくと保管、携帯にも便利である。【００１９】  また、立ち上げられた両つがい接触板の部分を出隅及び入り隅何れにも接触させて対応でき、固定することができるためそれによって、対角測定を一人で容易にできる。
【図面の簡単な説明】
【００２０】
【図１】  本発明の実施形態を示すフラット状の対角測定治具の正面図
【図２】  同対角測定治具の図１におけるＡ−Ａ線側面断面図
【図３】  同図１におけるフラット状の対角測定治具を組み立てた正面図
【図４】  同図３によって組み立てられた測定治具の使用状態を示す正面図
【発明を実施するための形態】
【００２１】  本発明による対角測定用治具を図１〜図４に基づいて説明する。
対角測定用治具の製作材料としては、コストが安価で形状が容易にできる樹脂板状成型加工方法が適している。
【００２２】  図１においては、対角測定治具１の表面をフラット状としたフック掛け平板２の表面上に巻尺テープのフックを挿入して引っ掛けるためのフック掛け孔３を設け、前記フック掛け孔３の部分に突起片４を形成して、常時フックに設けてあるフック穴の部分に挿入して引っ掛け、フックの脱落防止とする。
フック掛け孔３の孔の形状は、両端周囲を楕円状孔としてフックを挿入した場合、巻尺テープ及びフックの装着角度が自在に調整可能にするための楕円状孔の形状にしている。
【００２３】  前記フック掛け平板２の二方向端部辺Ｌ状に自由自在に屈折可能にしたＶ状の曲げ溝とする両屈曲部５を設ける。
前記両屈曲部５に面して両つがい接触板６をフラット状に形成し、一方のつがい接触板６の、端部面に差し込み凸起片７を突出させて、もう一方のつがい接触板６の端部面に受け孔８を形成する。
【００２４】  前記両つがい接触板６に設けられた差し込み凸起片７と受け孔８とを組み合わせる場合、両屈曲部５から両つがい接触板６の部分を垂直状に折り曲げると同時に、差し込み凸起片７を受け孔８に挿入して二方向辺をＬ状に組み合わせて対角測定治具を構成する。
（図３参照）
それに、前記両つがい接触板６には、ピン等を差し込んで固定させるためのピン刺し孔９を設けている。
【００２５】図２においては、図１のＡ−Ａ線側面断面図であって、屈曲部５の形状とそれらと連なってつがいとなるつがい接触板６の折り曲げ状態を示す図である。
屈曲部５の形状は、Ｖ状の曲げ溝を形成し、自由自在に幾多の屈曲可能にしている。
これらの屈曲構造は、樹脂製蝶番の構造を応用した方法であるから耐久性に優れている。
【００２６】  図３は、図１のフラット状の対角測定治具１を組み立てたものであって、両屈曲部５から両つがい接触板６が垂直状に立ち上げられ且つ、Ｌ状直角に両つがい接触板６を組み立てている。
差し込み凸起片７が受け孔８に係合し、折り曲げた時の復元力の防止となる。
それに、フック掛け孔３に巻尺のテープ１４のフック１３を挿入してフック１３に設けてあるフック穴に突起片４を係合させ、外れないようにしてテープ１４を引き出した姿図を示したものである。
【００２７】  図４は、対角測定治具１を用いて対角測定をおこなう方法であって、これらの図に基づいて説明すると、四方に組み立てられたサッシ枠の取付け時、内部の四方の額縁アングル１１である入り隅コーナー１５部分に、図３で組み立てられた対角測定治具１のＬ状のつがい接触板６を当ててクリップ１２等で固定し、フック掛け孔３に巻尺のテープフック１３を挿入してテープ１４を上方面の額縁用アングルの入り隅コーナー１５まで引き出して、テープの数値が入り隅コーナー１５の部分と合致した数値を読み取り対角の差を比較すればよい。
【００２８】  サッシ枠１０の左右の対角歪み１６を測定して上枠を左右何れかに均等に振り分けて、サッシ枠１０を固定する手段とする。
【００２９】  本発明の対角測定治具１を用いて方形体のコーナー出隅部に接触させて測定する場合は、上述の図３によって組み立てられた正面図とする対角測定治具を、反転させて両つがい接触板６を裏側にすることによって引っ掛けられる状態になり、コーナー出隅部に当ててフック掛け孔３にフック１３を挿入し、引っ掛けて測定をおこなえばよい。
固定する場合は、ピン刺し孔９に細釘やピン等を刺しこんで固定してもよい。
【符号の説明】
【００３０】  １    対角測定治具
２    フック掛け平板
３    フック掛け孔
４    突起片
５    屈曲部
６    つがい接触板
７    差し込み凸起片
８    受け孔
９    ピン刺し孔
１０  サッシ枠
１１  額縁アングル
１２  クリップ
１３  フック
１４  テープ
１５  入り隅コーナー
１６  対角歪み
【図１】
2012068223.tif 000003
【図２】
2012068223.tif 000004
【図３】
2012068223.tif 000005
【図４】
2012068223.tif 000006